(57)【要約】【課題】  味噌のような粘性の高い内容物であっても、手を汚さず、絞り残しが無いように容易に収納袋から絞り出すことができる絞り出し具を提供する。【解決手段】  絞り出し具１は、長手方向Ｘへ延びる第１棒体１０および第２棒体２０を有する。第１棒体１０は、第１平面１１と、第１平面１１の両側縁１２をつなぐ第２曲面２３とを含む。第２棒体２０は、第２平面２１と、第２平面２１の両側縁２２をつなぐ第２曲面２３とを含む。第１平面１１と第２平面２１とはほぼ平行に延びて、互いに接触可能である。第１棒体１０には、第１平面１１から突出する一対の突起１４が設けられる。第１曲面１３には周方向へ延びる条溝１６が設けられる。第２棒体２０には、突起１４が挿入可能であって第２平面２１から第２曲面２３へと貫通する貫通孔２４が設けられる。第２曲面２３には周方向へ延びる条溝２６が設けられる。【選択図】図１
0003183413.tif 000002
【実用新案登録請求の範囲】
【請求項１】
長手方向へ延びる第１平面および前記第１平面の前記長手方向へ延びる両側縁を結ぶ第１曲面を有する第１棒体と、
前記第１平面に平行に前記長手方向へ延びる第２平面および前記第２平面の前記長手方向へ延びる両側縁を結ぶ第２曲面を有する第２棒体とを含み、
前記第１棒体は、前記第１平面から突出するとともに、前記長手方向へ離間する一対の突起を有し、
前記第２棒体は、前記第２平面および第２曲面間を貫通し前記突起が挿入可能な貫通孔を有する
ことを特徴とする絞り出し具。
【考案の詳細な説明】
【技術分野】
【０００１】
この発明は、味噌などの内容物を容器から絞り出すための絞り出し具に関し、より詳細には、可撓性を有する袋状の容器から内容物を絞り出すための絞り出し具に関する。
【背景技術】
【０００２】
従来、流動性、粘性のある内容物を収納袋から絞り出すことができる絞り出し具が知られている。絞り出し具は、一対の棒状体を有し、これら棒状体で収納袋の閉鎖端部を挟み、棒状体を開口端部に向かって摺動させることによって、内容物を開口端部から押し出す。棒状体の間には、摺動が容易なようにスリットが形成される。このような絞り出し具を用いることによって、内容物で手を汚すことなく、かつ、絞り残しが無いように内容物を収納袋から絞り出すことができる。
【先行技術文献】
【特許文献】
【０００３】
【特許文献１】実用新案登録第３１１２１５１号公報
【考案の概要】
【考案が解決しようとする課題】
【０００４】
しかしながら、味噌などの粘性の高い内容物の場合には、絞り出し具が摺動しにくい。そこで、絞り出し具の間で収容袋の閉鎖端部を保持し、これを開口端部に向かって回転させながら、内容物を絞り出すことも考えられるが、棒状体の間にはスリットが形成されているから、これを回転させると棒状体の間から収納袋が抜けてしまう。
【０００５】
この考案では、味噌のような粘性の高い内容物であっても、手を汚さず、絞り残しが無いように容易に収納袋から絞り出すことができる絞り出し具を提供することを課題とする。
【課題を解決するための手段】
【０００６】
この考案は、長手方向へ延びる第１平面および前記第１平面の前記長手方向へ延びる両側縁を結ぶ第１曲面を有する第１棒体と、前記第１平面に平行に前記長手方向へ延びる第２平面および前記第２平面の前記長手方向へ延びる両側縁を結ぶ第２曲面を有する第２棒体とを含み、前記第１棒体は、前記第１平面から突出するとともに、前記長手方向へ離間する一対の突起を有し、前記第２棒体は、前記第２平面および第２曲面間を貫通し前記突起が挿入可能な貫通孔を有することを特徴とする。
【考案の効果】
【０００７】
この考案によれば、第１棒体の突起が第２棒体の貫通孔に挿入されることによって、第１棒体の第１平面と第２棒体の第２平面との間で収納袋を挟持することができる。また、第１曲面および第２曲面を周面としてこれを回転させることによって、内容物を収納袋から絞り出すことができる。したがって、手を汚さず、かつ絞り残しが無いように容易に内容物を絞り出すことができる。
【図面の簡単な説明】
【０００８】
【図１】絞り出し具の分解斜視図。
【図２】絞り出し具の使用状態の説明図。
【図３】突起の他の例を示した図。
【考案を実施するための形態】
【０００９】
図１を参照すれば、絞り出し具１は、長手方向Ｘへ延びるとともに、長手方向Ｘにおける寸法がほぼ等しい第１棒体１０および第２棒体２０を有する。第１棒体１０は、長手方向Ｘへ延びる第１平面１１と、第１平面１１の長手方向Ｘへ延びる両側縁１２をつなぐ第１曲面１３とを含む。第２棒体２０は、長手方向Ｘへ延びる第２平面２１と、第２平面２１の長手方向Ｘへ延びる両側縁２２をつなぐ第２曲面２３とを含む。第１平面１１と第２平面２１とはほぼ平行に延びて、その全面において互いに接触可能である。
【００１０】
第１棒体１０には、第１平面１１から突出する一対の突起１４が設けられる。この実施形態において、突起１４は、第１平面１１および第１曲面１３を貫通し、一方の端部１４Ａは第１平面１１から突出し、他方の端部１４Ｂは第１曲面１３から突出する。突起１４は、第１平面１１に対して直交するように延びるとともに、長手方向Ｘへ離間して配置される。具体的には、両端縁１５から所与寸法、長手方向Ｘ内側に配置される。第１曲面１３には、端縁１５と突起１４との間に、周方向へ延びる条溝１６が設けられる。
【００１１】
第２棒体２０には、第２平面２１から第２曲面２３へと貫通する貫通孔２４が設けられる。貫通孔２４は、第２平面２１に直交するように延びるとともに、長手方向Ｘへ離間して配置される。具体的には、両端縁２５から所与寸法、長手方向Ｘ内側に配置される。第２曲面２３には、端縁２５と貫通孔２４との間に、周方向へ延びる条溝２６が設けられる。
【００１２】
図１の矢印で示すように、突起１４の端部１４Ａ側を貫通孔２４に挿入することによって、第１平面１１と第２平面２１とをそのほぼ全面において接触させることができ、第１棒体１０と第２棒体２０とを一体化することができる。第１棒体１０の第１平面１１と第２棒体２０の第２平面２１とを接触させたとき、突起１４が貫通孔２４を貫通する。すなわち、貫通孔２４の直径は突起１４の直径よりも大きく、少なくとも突起１４の第１平面１１から端部１４Ａまでの長さは、貫通孔２４のそれよりも大きい。また、端縁１５から突起１４までの長手方向Ｘにおける寸法は、端縁２５から貫通孔２４までの寸法とほぼ等しい。さらに、第１曲面１３と第２曲面２３とによって、その断面がほぼ円形となるような周面を形成し、条溝１６と条溝２６とによって、絞り出し具１の周方向に環状溝を形成する。この実施形態において、突起１４において、第１平面１１から端部１４Ａまでの寸法と、第１平面１１から端部１４Ｂまでの寸法とをほぼ等しくしている。
【００１３】
図２は、絞り出し具１を用いて収納袋３から味噌などの内容物５を絞り出すときの説明図である。収納袋３は可撓性を有するとともに、その一方を閉鎖端３１とし、閉鎖端３１に対向する他方を開口端３２とする。この実施形態では、開口端３２の一部を切除して開口部３４を形成し、内容物５が流出可能としている。
【００１４】
図示したように、収納袋３から内容物５を絞り出す場合には、第１平面１１と第２平面２１との間に収納袋３の閉鎖端３１を挿入する。第１平面１１と第２平面２１とは、互いに平行な平面であるので、閉鎖端３１を介してほぼ隙間なく密着することができる。このように、第１棒体１０の突起１４の端部１４Ａ側を第２棒体２０の貫通孔２４に挿入するだけで、第１棒体１０および第２棒体２０を一体化することができるから、第１棒体１０および第２棒体２０の組み立てが容易である。すなわち、突起１４に対して貫通孔２４がガイドになって、これらを容易に所定の位置に配置することができる。
【００１５】
第１平面１１と第２平面２１との間に収納袋３の閉鎖端３１を挿入した状態で、条溝１６および条溝２６にゴムや糸などの締結部材３３を巻きつけることができる。このように締結部材３３を巻きつけることによって、第１平面１１および第２平面２１で収納袋３の閉鎖端３１を確実に挟持することができ、これらの密着状態を維持することができる。なお、この実施形態では締結部材３３は、条溝１６および条溝２６に巻きつけるとともに、その一部を突起１４にもひっかけるように巻きつける。さらに、収納袋３にはゴム等の弾性体２の一方を開口端３２にひっかけ、他方を絞り出し具１にその弾性力に抗してひっかけることができる。このように弾性体２をひっかけることによって、収納袋３の内容物５が押圧され、開口部３４から流出しやすくすることができる。
【００１６】
収納袋３から内容物５を絞り出す場合には、収納袋３の閉鎖端３１が第１平面１１および第２平面２１間で挟持された状態で、絞り出し具１を開口端３２に向かって図２の矢印４の方向へ回転させる。このように回転させることによって、収納袋３は閉鎖端３１側から開口端３２へと、第１曲面１３および第２曲面２３の周面によって押し付けられ、内容物が開口端３２へと移動し、内容物５を収納袋３から絞り出すことができる。
【００１７】
絞り出し具１を上記のように回転させても、第１平面１１および第２平面２１によって閉鎖端３１が挟持されるので、閉鎖端３１が抜けてしまうことがない。さらに、締結部材３３で強固に挟持されるので、より一層抜けてしまうのを防ぐことができる。また、第１平面１１および第２平面２１間には隙間が形成されることなく、これらが密着されるので、第１平面１１および第２平面２１間から内容物が漏れてしまうことがない。したがって、内容物の絞り残しを防ぐことができる。
【００１８】
この実施形態によれば、絞り出し具１を回転させるだけで内容物５を収納袋３から絞り出すことができるので、手が汚れることもない。また、第１曲面１３および第２曲面２３が収納袋３を押し付けながら回転することによって、収納袋３に絞り残しが無く、内容物５を絞り出すことができる。しかも、弾性体２によって内容物５が押圧されているので、より一層絞り残しをなくすることができる。また、絞り出し具１を回転させるだけで内容物５の絞り出しができるので、これを摺動させる場合に比べて小さい力で絞り出すことができ、内容物５が味噌などの粘性の高いものであっても容易に絞り出すことができる。
【００１９】
突起１４は第１棒体１０を貫通するとともに、一方の端部１４Ａ側は第２棒体２０を貫通するから、一方の端部１４Ａまたは他方の端部１４Ｂのいずれかがストッパとなって、回転を規制することができる。すなわち、絞り出し具１を取り付けた収納袋３を台の上に載せたときに、突起１４が台に当接して絞り出し具１の回転を規制するとともに、これに取り付けた収納袋３が絞り出し具１の回転に伴って移動するのを規制することができる。また、絞り出し具１を回転しないように台に載せ、絞り出し具１の上に収納袋３のバランスを取りながら載せることができる。収納袋３を立てておくことができるので、場所を取らず、しかも立てたまま使用することもできる。
【００２０】
突起１４は第１平面１１から一方の端部１４Ａが突出し、第１曲面１３から他方の端部１４Ｂが突出するように設けられるが、少なくとも端部１４Ａが第１平面１１から突出すればよく、端部１４Ｂは第１曲面１３に突出しないものでもよい。また、条溝１６および条溝２６を設けているがこれがないものであってもよい。すなわち、条溝１６および条溝２６を設けることなく、締結部材３３のみを配置するものであってもよい。さらに、条溝１６，２６および締結部材３３のいずれも用いないものであってもよい。この場合には、第１棒体１０および第２棒体２０の密着状態が維持されるようにおさえながら、これらを回転させることによって、第１平面１１および第２平面２１間から収納袋３の閉鎖端３１が抜けないようにすることができる。また、絞り出し具１および収納袋３に弾性体２をかけるようにしているが、弾性体２は必須の構成要素ではなく、これが無いものであってもよい。
【００２１】
締結部材３３として、ひもやゴムを用いているが、例えば、粘着テープなどを用いて、第１棒体１０および第２棒体２０の一体化させた状態を維持するようにしてもよい。さらにその粘着テープで絞り出し具１と収納袋３とを連結し、第１平面１１および第２平面２１間から収納袋３の閉鎖端３１が抜けにくくするようにしてもよい。
【００２２】
図３は、突起１４の他の態様を示したものであって、端縁１５，２５から見たときの図である。この態様では、一対の突起１４の少なくともいずれか一方が第１平面１１に対して傾斜する方向へ延びる。同様に、これが挿入される貫通孔２４も第２平面２１に対して傾斜する方向へ延びる。このように、突起１４およびこれに対応する貫通孔２４が傾斜することによって、第１棒体１０から第２棒体２０が抜けにくくすることができる。すなわち、第１平面１１と第２平面２１との密着状態を維持することができ、これらの間に挿入された収納袋３の閉鎖端３１を抜けにくくすることができる。
【００２３】
この実施形態において一対の突起１４のいずれも第１平面１１に対して傾斜する方向へ延びるようにすることもできる。この場合には、突起１４は同方向へ傾斜するようにする。同様に、一対の貫通孔２４も同方向へ傾斜するようにする。また、一方の突起１４のみが傾斜し、他の突起１４は第１平面１１に垂直な方向へ延びるようにすることもできる。
【００２４】
絞り出し具１を構成する各構成部材には、特に明記されていない限りにおいて、本明細書に記載されている材料のほかに、この種の分野において通常用いられている、各種公知の材料を制限なく用いることができる。また、本明細書および特許請求の範囲において使用されている「第１」、「第２」の用語は、同様の要素、位置等を単に区別するために用いられている。
【符号の説明】
【００２５】
１  絞り出し具
１０  第１棒体
１１  第１平面
１２  側縁
１３  第１曲面
１４  突起
２０  第１棒体
２１  第２平面
２２  側縁
２３  第２曲面
２４  貫通孔
Ｘ  長手方向
【図１】
0003183413.tif 000003
【図２】
0003183413.tif 000004
【図３】
0003183413.tif 000005